(57)【要約】      （修正有）【課題】簡単な構造でフィルタ内の流体を外部に排出可能としたフィルタを提供する。【解決手段】フィルタヘッド２と上部が開口した有底円筒状のケース３とフィルタエレメント１４とバネ２３とから構成されるフィルタ１において、ケース３内の底面から上方に突出するようにドレイン部材２５を配設し、このドレイン部材２５の嵌合部２５ｂとフィルタエレメント１４の下エンドプレート１８に設けられた下開口部１８ａとを嵌合させるとともに、下エンドプレート１８とケース３内の底面との間にバネ２３を挟んで、フィルタエレメント１４をフィルタ１に取付ける。フィルタ１内に導入された流体を外部に排出するときは、まず、ドレイン部材２５の排出孔２６に螺合したプラグ２８を外すとともに、ケース３をフィルタヘッド２から外すとことにより、溜まった流体を、短時間で、排出孔２６から外部に排出することができる。【選択図】  図１
2004255310.tif 000002
【特許請求の範囲】
【請求項１】
流入孔及び流出孔を有してなるフィルタヘッドと、上端部が開口し下端部が閉塞したケースと、前記ケース内に着脱自在に配設されるフィルタエレメントと、前記ケース内の底面と前記フィルタエレメントの下面との間に配設され前記フィルタエレメントを上方に付勢するバネとを有してなり、前記ケースの上端部が前記フィルタヘッドの下端部に着脱自在に取付けられるフィルタであって、
前記フィルタエレメントが濾材で囲まれた内部空間と、上部に形成され前記内部空間に連通する上開口部と、底部に形成され前記内部空間に連通する下開口部とを有して形成され、
前記ケース内の底面に上方に突出して前記下開口部と嵌合可能な突出部が設けられており、
前記フィルタエレメント及び前記バネを内部に配設した前記ケースが前記フィルタヘッドに取付けられた状態において、
前記突出部が前記下開口部に挿入されて嵌合し、前記下開口部の内周面に前記突出部の外周面が密接して前記下開口部を塞ぎ、前記流入孔及び前記流出孔のいずれか一方が前記上開口部から前記フィルタエレメントの内部空間に連通し、他方が前記ケース内における前記フィルタエレメントの外側の空間に連通し、前記流入孔から前記ケース内に導入された流体を前記フィルタエレメントの前記濾材を通過させて前記流出孔から外部に流出させるように構成され、
前記ケースを前記フィルタヘッドから外した状態において、
前記バネにより前記フィルタエレメントが押されて前記ケースの底面から上方に移動して前記突出部と前記下開口部との嵌合が解除され、前記下開口部を開放するように構成したことを特徴とするフィルタ。
【請求項２】
前記突出部が、前記下開口部と嵌合して前記下開口部を塞ぐサイズに形成された嵌合部と、前記嵌合部の上部から上方に延び前記嵌合部より小さいサイズに形成された開放部とから構成されることを特徴とする請求項１に記載のフィルタ。
【請求項３】
前記ケースの底部に外部に連通するとともに前記突出部内に延び着脱自在なプラグで塞がれた排出孔が形成され、前記突出部に前記ケース内に連通するとともに前記排出孔に連通する導出孔が形成され、前記導出孔及び前記排出孔から前記ケース内に導入された流体を外部に排出するように構成したことを特徴とする請求項１または２に記載のフィルタ。
【発明の詳細な説明】
【０００１】
【発明の属する技術分野】
本発明は、オイル等の流体の濾過に用いられるフィルタに関する。
【０００２】
【従来の技術】
オイル等の流体を濾過するフィルタは、例えば、エンジンケース等に形成されたフィルタヘッドと、このフィルタヘッドに着脱自在な有底円筒状のケース及び、このケース内に配設された円筒状のフィルタエレメントとから構成されている。このフィルタヘッドには流入孔及び流出孔が形成されており、流入孔からケース内のフィルタエレメントより外側の空間（外部空間）に導入された流体をフィルタエレメントの外周面から内部を内周面に向かって通過させて、このフィルタエレメントが有する濾材で濾過して流体に含まれる固形物等を捕捉除去する。フィルタエレメントを通過した流体は固形物等が除去された清浄な状態でフィルタエレメントの内部空間に流入する。そして、流体をフィルタエレメントの内部空間から流出孔を通って外部に流出させる。この濾材で一定量の固形物等を捕捉すると濾材が目詰まりしてフィルタの濾過能力が低下する。そのため、一般的にフィルタは内部のフィルタエレメントを定期的に交換する必要がある。
【０００３】
フィルタエレメントを交換する場合、内部に流体が溜まった状態でケースを外すと流体が外部に流出して周囲に飛散等するため、まず、フィルタ内部に溜まっている流体を排出孔から外部に排出させる必要がある。例えば、フィルタヘッドが上部に位置するように配設されるフィルタの場合、ケースの底面に内部の流体を外部に排出させる排出孔が形成されている。上述の様に、フィルタのケース内はフィルタエレメントの外側空間と内部空間に分離されているため、外側空間内にある流体は排出孔から容易に外部に排出することが可能であるが、フィルタエレメントの内部空間にある流体はフィルタエレメントの濾材を通過するため排出に時間がかかるという問題があった。
【０００４】
この内部空間に溜まった流体を短時間で排出させる方法としては、排出孔を構成する部材をフィルタエレメントの内部空間に延びるように形成し、内部に外側空間に連通する流路と、内部空間に連通する流路を設けて、この流路から外部に排出する方法が知られている（例えば、特許文献１参照）。
【０００５】
【特許文献１】
特開平９−１７３７１６号公報
【０００６】
【発明が解決しようとする課題】
しかしながら、流出孔を構成する部材に外側空間と内部空間それぞれに連通する流路を設けると、流路の形成や排出孔を閉じているときの流路遮断のための仕組み等、排出孔を構成する部材の構造が複雑になり、製造のコストが高くなるという課題があった。
【０００７】
本発明は以上の課題に鑑みなされたものであり、簡単な構造でフィルタ内の流体を外部に排出可能としたフィルタを提供することを目的とする。
【０００８】
【課題を解決するための手段】
前記課題を解決するために、本発明に係るフィルタは、流入孔及び流出孔を有してなるフィルタヘッドと、上端部が開口し下端部が閉塞したケースと、このケース内に着脱自在に配設されるフィルタエレメントと、ケース内の底面とフィルタエレメントの下面との間に配設されフィルタエレメントを上方に付勢するバネとを有してなり、ケースの上端部がフィルタヘッドの下端部に着脱自在に取付けられる。このフィルタエレメントは、濾材で囲まれた内部空間と、上部に形成され内部空間に連通する上開口部と、底部に形成され内部空間に連通する下開口部とを有して形成される。また、ケース内の底面には、上方に突出して下開口部と嵌合可能な突出部（例えば、実施形態におけるドレイン部材２５）が設けられている。そして、フィルタエレメント及びバネを内部に配設したケースがフィルタヘッドに取付けられた状態において、突出部が下開口部に挿入されて嵌合し、下開口部の内周面に突出部の外周面が密接して下開口部を塞ぎ、流入孔及び流出孔のいずれか一方が上開口部からフィルタエレメントの内部空間に連通し、他方がケース内におけるフィルタエレメントの外側の空間に連通し、流入孔からケース内に導入された流体をフィルタエレメントの濾材を通過させて流出孔から外部に流出させるように構成される。また、ケースをフィルタヘッドから外した状態において、バネによりフィルタエレメントが押されてケースの底面から上方に移動して突出部と下開口部との嵌合が解除され、下開口部を開放するように構成される。
【０００９】
このような構成によれば、ケース内に挿入されたフィルタエレメント及びバネがフィルタヘッドに取付けられているときは、ケース内の底面に形成された突出部とフィルタエレメントの下面に形成された下開口部とが嵌合してこの下開口部が塞がれているため、ケース内のフィルタエレメントより外側の空間とフィルタエレメントの内部空間とは分離されている。そして、ケースをフィルタヘッドから外すと、バネによりフィルタエレメントが上方に移動するため、突出部と下開口部との嵌合が解除されて下開口部が開放するため、フィルタエレメントの内部空間に溜まった流体を容易にケース内に排出させることができる。
【００１０】
なお、突出部が、下開口部と嵌合してこの下開口部を塞ぐサイズに形成された嵌合部と、この嵌合部の上部から上方に延び嵌合部より小さいサイズに形成された開放部とから構成されることが好ましい。
【００１１】
このような構成によれば、突出部の高さをある程度大きくすることができるので、フィルタエレメントをケース内に挿入するときのガイドとして利用することができる。また、この突出部に他の目的のための部材を組み合わせることもできる。
【００１２】
また、ケースの底部に外部に連通するとともに突出部内に延び着脱自在なプラグで塞がれた排出孔が形成され、突出部にケース内に連通するとともに排出孔に連通する導出孔が形成され、この導出孔及び排出孔からケース内に導入された流体を外部に排出するように構成されることが好ましい。
【００１３】
このような構成によれば、フィルタエレメントの下開口部と嵌合してこの下開口部を開閉する突出部とケース内に溜まった流体を外部に排出する排出孔とを一体にして同一部材で形成することができる。そのため、ケースからプラグを外すとともにフィルタヘッドからケースを外すことによりフィルタ内に溜まった流体を容易にまた短時間に導出孔及び排出孔から外部に排出することができる。
【００１４】
【発明の実施の形態】
以下、本発明の好ましい実施形態について図面を参照して説明する。図１及び図２は本発明に係るフィルタを示しており、フィルタ１は、フィルタヘッド２とこのフィルタヘッド２に着脱自在に取付けられる有底円筒状で上部に開口部を有するとともに下部が閉塞して内部に空間が形成されたケース３とを有する。このケース３は有底円筒状のケース部材４と、ケース部材４の上部にある開口部の内周面に取付けられ、その内周面に雌ネジ部５ａが形成された円筒状の雌ネジ部材５とから構成されている。さらに、この雌ネジ部材５の上部には内周面から上方に延びるフランジ部５ｂが形成されており、ケース部材４の上端面とフランジ部５ｂの上端面とが略同一平面上に位置するように配設されている。そして、このケース部材４とフランジ部５ｂで囲まれる空間にＯ−リング１３が配設されている。Ｏ−リング１３は、このＯ−リング１３を保持するケース部材４と雌ネジ部材５（フランジ部５ｂ）の面に密接するように配設されており、また、ケース３がフィルタヘッド２から取り外されているときは、Ｏ−リング１３はケース部材４とフランジ部５ｂの上端面よりも上方に突出するように配設されている。
【００１５】
上述のように、ケース３は、有底円筒状のケース部材４の内周面に円筒状の雌ネジ部材５の外周面を密接させて接合して構成されている。このように２つの部材を接合してケース３の雌ネジ部５ａを形成することにより、簡単な構造で、ケース３の上部（雌ネジ部５ａが形成される部分）の強度を高くすることができる。このケース部材４と雌ネジ部材５との接合には、例えば、雌ネジ部材５の下部に外周面からフランジ状に下方に延出する接合部５ｃを形成し、この接合部５ｃとケース部材４とをスポット溶接により接合することにより、接合作業が容易となる。
【００１６】
また、ケース部材４の底部には上下に貫通したドレイン取付孔４ａが形成されており、このドレイン取付孔４ａにドレイン部材２５が取付けられている。ドレイン部材２５は、円筒状に形成され、ドレイン取付孔４ａと嵌合する取付部２５ａと、その上面から上方に延びる円筒状の嵌合部２５ｂと、さらに嵌合部２５ｂの上面から上方に延び、嵌合部２５ｂの直径より小さい直径の円筒状の開放部２５ｃとから構成されている。また、取付部２５ａの外周面上には水平方向にフランジ状に延びる係止部２５ｄが形成されている。
【００１７】
このドレイン部材２５には内部に上下に貫通する円筒状の排出孔２６が形成されており、排出孔２６の下端開口部にはプラグ２８が螺挿されている。このプラグ２８にはシール部材２９が配設されており、フィルタ１を使用中はこのプラグ２８により排出孔２６の下端開口部は塞がれている。また、嵌合部２５ｂの下部には、この嵌合部２５ｂの円周面から内部を略水平方向に十字に貫通して排出孔２６に連通する導出孔２７が形成されている。また、ドレイン部材２５の開放部２５ｃの上端面にはリリーフバルブ３０が配設されており、このリリーフバルブ３０は、ドレイン部材２５として一体に形成されている。ドレイン部材２５に形成された排出孔２６の上端開口部はこのリリーフバルブ３０で塞がれている。
【００１８】
ドレイン部材２５は、ケース部材４の下面から、嵌合部２５ｂ、開放部２５ｃ及びリリーフバルブ３０がケース３内に位置するようにドレイン取付孔４ａから挿入される。そして、ドレイン取付孔４ａと取付部２５ａが嵌合するとともに、係止部２５ｄとケース部材４の下面が当接した状態で取付けられている。なお、このドレイン部材２５は、係止部２５ｄの回りを溶接してケース部材４に固定されるとともに、ドレイン部材２５とドレイン取付孔４ａの間がこの溶接によりシールされる。よって、ケース３の内部には、底面からドレイン部材２５が上方に突出して組付けられ、ケース３の内部は導出孔２７及び排出孔２６を通って排出孔２６の下端開口部より外部に連通する。
【００１９】
一方、フィルタヘッド２の下面には、下方に突出した連結部６が形成されている。この連結部６は、外側円筒部７と内側円筒部８とを有して２重円筒状に形成されている。このため、外側円筒部７の内周面と内側円筒部８の外周面との間には上下に延びる断面リング状の外側通路９が形成され、この外側通路９の上部はフィルタ１の外部に連通する流入孔１０に連通し、下部は開放されている。また、内側円筒部８内には上下に延びる円筒状の内側通路１１が形成されており、上部においてフィルタ１の外部に連通する流出孔１２に連通し、下部は開放されている。
【００２０】
なお、図１に示すように、内側円筒部８の方が外側円筒部７より下方の突出量が多く、この内側円筒部８の外側円筒部７の下端より下方に突出した部分は上部８ａより径が細くなったフィルタ取付部８ｂが形成されている。また、内側円筒部８の上部８ａの下面には後述するフィルタエレメント１４の上ガスケット２０が当接する第２シール面８ｃが形成されており、この第２シール面８ｃと外側円筒部７の下面は略同一平面上に位置するように形成されている。さらに、外側円筒部７の外周面には雄ネジ部７ａが形成されている。なお、外側円筒部７の外周側にあるフィルタヘッド２の下面には、フィルタヘッド２にケース３が取付けられたときに、Ｏ−リング１３が当接する第１シール面２ａが形成されている。
【００２１】
このように構成されたフィルタ１は、ケース３の上部に形成された雌ネジ部５ａにフィルタヘッド２に形成された雄ネジ部７ａを螺挿することにより、フィルタヘッド２とケース３とを嵌合することができる。以上の説明のように、フィルタヘッド２の下部に形成された連結部６の外周面（外側円筒部７の外周面）に雄ネジ部７ａを形成し、ケース３の内周面（雌ネジ部材５の内周面）に雌ネジ部５ａを形成して螺合するように構成すると、この螺合部分（雌ネジ部５ａ及び雄ネジ部７ａ）の有効径を大きくすることができ、強度を高くすることができるため、高圧作動流体を濾過することができる。
【００２２】
このフィルタヘッド２とケース３が螺合されて囲まれた空間にフィルタエレメント１４が配設される。フィルタエレメント１４は、その円周面に多数の小孔１５ａが形成された円筒状のインナーチューブ１５と、インナーチューブ１５の外周面に濾紙を蛇腹状に折り畳み円筒状に巻き付けられた断面菊花状の濾材１６とを有し、このインナーチューブ１５と濾材１６の円筒軸方向両端面を円盤状の上エンドプレート１７及び下エンドプレート１８で挟持して構成される。この上下エンドプレート１７，１８の中心部には上下に貫通する上開口部１７ａ及び下開口部１８ａがそれぞれ形成されており、フィルタエレメント１４の内部空間（インナーチューブ１５の内周面と上下エンドプレート１７，１８で囲まれており、以降の説明では「内周空間１９」と呼ぶ）に連通している。
【００２３】
この上エンドプレート１７の上開口部１７ａの直径は上述のフィルタ取付部８ｂの外径よりやや大きく形成されており、上開口部１７ａの内周面に密接して上エンドプレート１７の上下の面に突出するように断面コの字状でリング状の上ガスケット２０が配設されている。この上ガスケット２０を配設した際の上開口部１７ａの内径（上ガスケット２０の内径）はフィルタ取付部８ｂの外径よりやや小さくなるように上ガスケット２０が形成されている。
【００２４】
一方、下エンドプレート１８の下開口部１８ａの直径は上述のドレイン部材２５を構成する嵌合部２５ｂの外径よりやや大きく形成されており、下開口部１８ａの内周面に密接して下エンドプレート１８の上下の面に突出するように断面コの字状でリング状の下ガスケット２４が配設されている。この下ガスケット２４を配設した際の下開口部１８ａの内径（下ガスケット２４の内径）は嵌合部２５ｂの外径よりやや小さくなるように下ガスケット２４が形成されている。
【００２５】
ケース３内の底部にはバネ２３が配設されており、このバネ２３にドレイン部材２５が挿入され、バネ２３と取付部２５ａの外周面とが嵌合して、バネ２３が保持されている。フィルタエレメント１４をフィルタ１に取付けるときは、まず、図４に示すように、フィルタエレメント１４を下エンドプレート１８からケース３に挿入し、ドレイン部材２５が下開口部１８ａからフィルタエレメント１４の内周空間１９に挿入されるように配置する。このとき、フィルタエレメント１４の下エンドプレート１８はバネ２３に当接しており、下開口部１８ａはドレイン部材２５の嵌合部２５ｂより上方（開放部２５ｃと略同一高さ）に位置している。そのため、下開口部１８ａ（下ガスケット２４の内周面）とドレイン部材２５（開放部２５ｃの外周面）との間には空間が形成されている。なお、ドレイン部材２５をフィルタエレメント１４の下開口部１８ａに挿入することにより、ドレイン部材２５は、このフィルタエレメント１４をケース３内に配置するときのガイドとして作用する。
【００２６】
そして、上エンドプレート１７に形成された上開口部１７ａからフィルタヘッド２のフィルタ取付部８ｂを挿入するようにしてケース３及びフィルタエレメント１４をフィルタヘッド２に取付ける。このとき、上述のように上ガスケット２０の内径はフィルタ取付部８ｂの外径よりやや小さく形成されているため、上ガスケット２０とフィルタ取付部８ｂの外周面は密接する。そして、上述のようにケース３に形成された雌ネジ部５ａとフィルタヘッド２に形成された雄ネジ部７ａとを螺合すると、ケース３の上部に保持されたＯ−リング１３が第１シール面２ａに当接するとともに、フィルタエレメント１４がバネ２３に押し上げられてフィルタエレメント１４の上エンドプレート１７に配設された上ガスケット２０の上部が内側円筒部８に形成された第２シール面８ｃに当接する。また、下エンドプレート１８の下開口部１８ａはドレイン部材２５の嵌合部２５ｂの上部と嵌合し、下開口部１８ａの内周面が下ガスケット２４を挟んで嵌合部２５ｂの外周面に密接する。このとき、下開口部１８ａは嵌合部２５ｂの下部に形成された導出孔２７の開口部より上方で嵌合部２５ｂと嵌合するようにフィルタ１が構成されている。
【００２７】
フィルタエレメント１４の直径はケース３の内径よりやや小さく形成されているため、ケース３内にはフィルタエレメント１４より外側の空間、つまり、ケース３の内面とフィルタエレメント１４の外周面に囲まれた外周空間２１が形成される。また、上ガスケット２０は上エンドプレート１７の上下の面に突出するように形成されているため、フィルタエレメント１４がフィルタ１に取付けられた状態では、フィルタヘッド２の下面と上エンドプレート１７の上面の間には上ガスケット２０により空間２２が形成される。そのため、フィルタヘッド２に形成された外側通路９と外周空間２１は空間２２を介して連通することとなる。また、内側円筒部７のフィルタ取付部８ｂが、フィルタエレメント１４の内周空間１９に突出するため、内側通路１１はフィルタエレメント１４の内周空間１９に連通する。このとき、上ガスケット２０は、第２シール面８ｃ及びフィルタ取付部８ｂに密接しているため、上エンドプレート１７の上開口部１７ａは空間２２に対してシールされている。
【００２８】
一方、上述の通り、下エンドプレート１８の下開口部１８ａは下ガスケット２４を挟んでドレイン部材２５の嵌合部２５ｂと嵌合しているため、下開口部１８ａはこの下ガスケット２４によりシールされている。また、ドレイン部材２５に形成された排出孔２６は導出孔２７によって外周空間２１と連通しているが、排出孔２６の上部はリリーフバルブ３０で塞がれているため、外周空間２１と内周空間１９とは連通していない。よって、フィルタヘッド２とケース３とで形成される空間は、フィルタエレメント１４により内周空間１９と外周空間２１とに分離されている。
【００２９】
以上のように構成されたフィルタ１の流入孔１０からオイル等の流体を外周空間２１に導入すると、この流体はフィルタエレメント１４の外周面から濾材１６を通過してインナーチューブ１５の小孔１５ａから内周空間１９に流入する。この濾材１６を流体が通過するとき、流体に含まれる固形物等が捕捉されて除去されるため、内周空間１９に流入した流体は清浄な状態となっている。そして、内周空間１９にある清浄な流体は流出孔１２から外部に流出する。なお、濾材１６が目詰まりしたときや、エンジン始動直後の流体（オイル）の粘性が高いときに、外周空間２１に流体が導入されると、この流体は濾材１６を通過しにくくなり、外周空間２１内の流体の圧力が高くなる。このような状態のときは、リリーフバルブ３０が開き、外周空間２１の流体を導出孔２７及び排出孔２６から、リリーフバルブ３０を通って内周空間１９に流入するように構成されている。よって、通常の運用時は、このリリーフバルブ３０は閉じられており、導出孔２７及び排出孔２６を通って外周空間２１から内周空間１９に流体は流れない。
【００３０】
このとき、フィルタ１内に導入された流体は、ケース部材４と雌ネジ部材５との接合面及び雌ネジ部５ａと雄ネジ部７ａの螺合面から外部に流出しようとする。本発明に係るフィルタ１では、ケース部材４の内周面と雌ネジ部材５のフランジ部５ｂで囲まれる空間にＯ−リング１３を保持しているため、フィルタヘッド２にケース３が取付けられた状態において、Ｏ−リング１３は、ケース部材４の内周面と第１シール面２ａに当接し、ケース部材４と雌ネジ部材５の接合面及び雌ネジ部５ａと雄ネジ部５ｂの螺合面の両方をこのＯ−リング１３だけで外部に対してシールすることができるため、簡単な構造となる。このＯ−リング１３は、フィルタヘッド２とケース３の螺合部分の近傍にあるため、上述のようにフィルタヘッド２とケース３の螺合部分の強度が高いことから、このＯ−リング１３もフィルタヘッド２及びケース３で確実に保持されてシール効果が高くなる。
【００３１】
フィルタ１で流体を濾過すると、この流体に含まれる固形物等がフィルタエレメント１４の濾材１６に捕捉除去されるが、一定量以上の固形物等を捕捉すると濾材１６が目詰まりし濾過能力が低下するため、フィルタエレメント１４を新しい物に取替える必要がある。このフィルタエレメント１４をフィルタ１から取り外す手順は、上述の取付ける手順を逆に行う。
【００３２】
フィルタエレメント１４を交換する際には、フィルタ１内に溜まった流体を排出孔２６から外部に抜き取る作業を行う。このフィルタ１内に溜まった流体を外部に抜き取る手順について図３及び図４を用いて説明する。まず、ドレイン部材２５に螺挿されているプラグ２８を取り外す。すると、外周空間２１内に溜まった流体が導出孔２７及び排出孔２６を通って排出孔２６の下端開口部から外部に排出される。このとき、フィルタエレメント１４の内周空間１９に溜まった流体は、濾材１６に囲まれているため外周空間２１に流出するには時間がかかり内周空間１９に留まっている。この状態で、ケース３をフィルタヘッド２から外すと、フィルタエレメント１４がバネ２３に押されて上方に移動するため、下エンドプレート１８も上方に移動してドレイン部材２５の嵌合部２５ｂと下開口部１８ａの嵌合が解除され、下開口部１８ａとドレイン部材２５（開放部２５ｃ）との間に空間が形成される。すると、この空間を通って内周空間１９内の流体が外周空間２１に流出し、さらに導出孔２７及び排出孔２６を通って排出孔２６の下端開口部から外部に排出される。
【００３３】
以上の手順でフィルタ１内に溜まった流体を排出孔２６から外部に排出した状態で、ケース３からフィルタエレメント１４を取り出して交換する。フィルタエレメント１４の交換において、廃棄する部分はこのフィルタエレメント１４だけであり、特にフィルタエレメント１４を構成するインナーチューブ１５や上下エンドプレート１７，１８等を樹脂等で構成することにより、廃棄が容易になり環境に与える影響も少なくすることができる。
【００３４】
このように、ケース３内の底面に上方に突出する突出部（ドレイン部材２５）を形成し、この突出部がフィルタエレメント１４のフィルタ１への取付け状態に従って、下開口部１８ａを開閉するように構成することにより、簡単な構成で、フィルタエレメント１４の内周空間１９に溜まった流体を短時間で外部に排出することができる。また、ケース３内の流体を外部に排出するための排出孔２６（導出孔２７を含む）と突出部を一体にしてドレイン部材２５として構成することにより、フィルタ１の構成部材が少なくなり、フィルタ１の製造コストが下がるとともに、組立も容易になる。さらに、上述のようにドレイン部材２５にリリーフバルブ３０を一体にすることも可能である。
【００３５】
以上の実施例において、フィルタエレメント１４の上開口部１７ａと嵌合するフィルタ取付部８ｂの外径と、下開口部１８ａと嵌合する嵌合部２５ｂの外径を略同一大きさに形成すると、上下開口部１７ａ，１８ａは同一形状とすることができるため、上下エンドプレート１７，１８及び上下ガスケット２０，２４は同一形状のものを利用することができる。このように上下エンドプレート１７，１８及び上下ガスケット２０，２４を同一形状のものにすると、部材の共通化が図れるためフィルタエレメント１４の製造コストが安くなるとともに、このフィルタエレメント１４をフィルタ１に取付けるときに、フィルタエレメント１４の上下の別を確認する必要がなく、取付作業が容易となる。
【００３６】
なお、上述の実施例では、ドレイン部材２５を嵌合部２５ｂと開放部２５ｃとを有するように形成したが、嵌合部２５ｃだけで構成することも可能である。また、排出孔２６と下開口部１８ａを開閉する突出部を一体にしてドレイン部材２５として構成した場合について説明したが、排出孔と突出部を別個に形成するように構成することも可能である。また、フィルタエレメント１４の外周空間２１に導入した流体を濾材１６の外周面から内部を通過させて内周面から内周空間１９に流出させて濾過するように構成した例で説明を行ったが、フィルタエレメント１４の内周空間１９から濾材１６を通過させて外周空間２１に流出させて濾過するように構成することも可能である。さらに、濾材１６を断面菊花状の濾紙で構成する場合で説明を行ったが、不織布やグラスペーパをインナーチューブ１５に巻き付けて円筒状に形成したものやグラス濾材を円筒状に成型したもの、あるいは、これらの素材を組み合わせたものなど、濾過する流体の特性に合わせて適切な濾材の素材及び形状等を選択することにより、良好な濾過性能を得ることができる。
【００３７】
【発明の効果】
以上の説明から明らかなように、本発明に係るフィルタは、ケース内の底面に上部に突出する突出部を有するように形成し、フィルタエレメントの下面に形成された下開口部と嵌合させてこの下開口部を突出部により開閉可能なように構成することにより、簡単な構造で、短時間にフィルタ内に溜まったオイルを外部に排出することができる。
【００３８】
なお、上記突出部を、下開口部と嵌合してこの下開口部を塞ぐサイズに形成された嵌合部と、この嵌合部の上部から上方に延び嵌合部より小さいサイズに形成された開放部とから構成すると、突出部の高さをある程度大きくすることができるので、フィルタエレメントをケース内に挿入するときのガイドとして利用することができる。また、この突出部に他の目的のための部材を組み合わせる（例えば、リリーフバルブを配設する）こともできる。
【００３９】
さらに、ケースの底部に外部に連通するとともに突出部内に延び着脱自在なプラグで塞がれた排出孔が形成され、突出部にケース内に連通するとともに排出孔に連通する導出孔が形成され、この導出孔及び排出孔からケース内に導入された流体を外部に排出するように構成すると、フィルタエレメントの下開口部と嵌合してこの下開口部を開閉する突出部にケース内に溜まった流体を外部に排出する導出孔及び排出孔とを一体にして同一部材で形成することができるため、フィルタ内に溜まった流体を、プラグをケースから外すとともに、フィルタヘッドからケースを外すことにより、容易にまた短時間で外部に排出することができる。
【図面の簡単な説明】
【図１】本発明に係るフィルタを示す断面図である。
【図２】図１のＩＩ−ＩＩ断面図である。
【図３】フィルタの排出孔からプラグを外した状態を示す断面図である。
【図４】フィルタヘッドからケースを外した状態を示す断面図である。
【符号の説明】
１  フィルタ
２  フィルタヘッド
３  ケース
１０  流入孔
１２  流出孔
１４  フィルタエレメント
１６  濾材
１７ａ  上開口部
１８ａ  下開口部
２３  バネ
２５  ドレイン部材（突出部）
２５ｂ  嵌合部
２５ｃ  開放部
２６  排出孔
２７  導出孔
２８  プラグ
【図１】
2004255310.tif 000003
【図２】
2004255310.tif 000004
【図３】
2004255310.tif 000005
【図４】
2004255310.tif 000006